(57)【要約】【課題】屋外等において迅速且つ簡便に利用できる太陽電池パネルのＥＬ検査装置を提供する。【解決手段】エレクトロルミネッセンス（ＥＬ）を利用した太陽電池パネルＭの検査装置１００であって、太陽電池パネルＭに交流を印加するための交流電力を発生する交流電源１０と、太陽電池パネルＭの表面を撮影するカメラ２０と、を備え、交流電力は、太陽電池パネルにＥＬ発光を誘起させる交流のインピーダンスが１ｋΩ以上となるように設定されている。【選択図】図１
2018105680.tif 000002
【特許請求の範囲】
【請求項１】
エレクトロルミネッセンス（ＥＬ）を利用した太陽電池パネルの検査装置であって、
前記太陽電池パネルに交流を印加するための交流電力を発生する交流電源と、
前記太陽電池パネルの表面を撮影するカメラと、
を備え、
前記交流電力は、前記太陽電池パネルにＥＬ発光を誘起させる交流のインピーダンスが１ｋΩ以上となるように設定されている太陽電池パネルの検査装置。
【請求項２】
前記交流のインピーダンスが３ｋΩ以上となるように設定されている請求項１に記載の太陽電池パネルの検査装置。
【請求項３】
前記交流電源は、出力が１００Ｖ又は２００Ｖの交流電力を発生する交流発電機である請求項１又は２に記載の太陽電池パネルの検査装置。
【請求項４】
順方向の電流を通過させる第一ＬＥＤと、逆方向の電流を通過させる第二ＬＥＤとが並列に接続されてなる回路検査部をさらに備え、
前記太陽電池パネルの検査時において、前記交流電源と前記回路検査部との間に検査対象の太陽電池パネルを配置するように構成されている請求項１〜３の何れか一項に記載の太陽電池パネルの検査装置。
【請求項５】
前記太陽電池パネルは、太陽電池セルが複数接続された太陽電池モジュールである請求項１〜４の何れか一項に記載の太陽電池パネルの検査装置。
【請求項６】
前記太陽電池パネルは、単結晶シリコン型太陽電池、多結晶シリコン型太陽電池、又はＣＩＧＳ｛銅（Ｃｏｐｐｅｒ）−インジウム（Ｉｎｄｉｕｍ）−ガリウム（Ｇａｌｌｉｕｍ）−セレン（Ｓｅｌｅｎｉｕｍ）｝系化合物太陽電池である請求項１〜５の何れか一項に記載の太陽電池パネルの検査装置。
【請求項７】
エレクトロルミネッセンス（ＥＬ）を利用した太陽電池パネルの検査方法であって、
前記太陽電池パネルに交流を印加する電流印加工程と、
前記太陽電池パネルの表面を撮影する撮影工程と、
を備え、
前記電流印加工程において、前記太陽電池パネルにＥＬ発光を誘起させる交流のインピーダンスを１ｋΩ以上に設定する太陽電池パネルの検査方法。
【発明の詳細な説明】
【技術分野】
【０００１】
本発明は、エレクトロルミネッセンス（ＥＬ）を利用した太陽電池パネルの検査装置、及び太陽電池パネルの検査方法に関する。
【背景技術】
【０００２】
近年、環境に配慮したクリーンなエネルギーへの関心の高まりから、エネルギー源が無尽蔵に存在する太陽光を利用した太陽光発電が注目されている。太陽光発電によって長期的に安定したエネルギーを供給するためには、発電に使用する太陽電池パネルに不具合が生じていないかを定期的に検査する必要がある。
【０００３】
太陽電池パネルの検査では、通常、「クラック（マイクロクラックを含む）」や「断線」等の欠陥の有無の確認が行われる。太陽電池パネルにおける欠陥の有無の検査を行う方法の一つに、エレクトロルミネッセンス（ＥＬ）を利用したＥＬ検査法が知られている。一般に、半導体に所定のエネルギーを与えると、半導体中の励起された電子が基底状態に遷移する際に光が発生する。ここで、上記の所定のエネルギーを電気エネルギーによって与える方法をエレクトロルミネッセンス（ＥＬ）という。太陽電池パネルのＥＬ検査においては、半導体である太陽電池セルに禁制帯幅以上のエネルギーを持つ電流を印加すると、半導体中に電子と正孔が生成され、これらが再結合する際に発光する。このとき、半導体結晶中に欠陥や不純物が存在すると、これらの欠陥等は電気エネルギーを与えたときに形成される電子と正孔との再結合過程に影響を及ぼし、半導体結晶は正常な結晶よりも小さい強度のエネルギーの光（ＥＬ光）を放出する。この現象を利用し、ＥＬ発光によって得られた情報から太陽電池パネルの欠陥を検知することができる。
【０００４】
通常、太陽電池パネルは、太陽光を効率よく利用するために陰の影響の少ない場所に設置される。例えば、建物に太陽電池パネルを設置する場合、屋上等の高所に設置される。また、自動車等の乗り物に太陽電池パネルを設置する場合は、ルーフやボンネットの上に設置される。太陽電池パネルは、一度設置されると取り外すことが想定されていないため、現場で迅速且つ簡便に検査を行えることが望まれている。
【０００５】
これまで、本出願人は、太陽電池パネルの検査装置として、撮影画像の補正機能を備えたＥＬ検査装置を開発した（例えば、特許文献１を参照）。特許文献１の太陽電池パネルの検査装置は、主に最近の大型化した太陽電池パネルを検査するために開発したものであり、そのための構成として、太陽電池パネルにＥＬ発光を誘起させる直流電源と、太陽電池パネルの検査面全体を一括撮影可能な短焦点広角レンズを有するカメラとを備えている。
【先行技術文献】
【特許文献】
【０００６】
【特許文献１】国際公開第２０１１／１５２４４５号
【発明の概要】
【発明が解決しようとする課題】
【０００７】
特許文献１の太陽電池パネルのＥＬ検査装置は、太陽電池パネルをインライン方式で連続的に検査することを想定したものである。すなわち、この検査装置は、出荷前の太陽電池パネルを暗室内でＥＬ方式により連続検査するものである。そのため、ＥＬ検査を行うにあたって、太陽電池パネルの欠陥を高精度で発見できるように、強力なＥＬ発光が誘起される検査条件が望ましい。また、特許文献１のように、検査室で太陽電池パネルの検査を行う場合、事前に検査環境を整えることができるため、検査を実施する際に設備面で制約を受けることは少ない。ちなみに、特許文献１では、検査対象の太陽電池パネルにＥＬ発光を誘起させるための電源として直流電源が使用されており、これはＥＬ検査装置の専用設備として設けられるものである。
【０００８】
これに対し、屋外に既に設置されている太陽電池パネルの検査では、出荷前の製品の検査程の高精度の検査は必要でない場合もあり、むしろ、迅速且つ簡便に検査を実施できることが求められている。しかしながら、屋外の太陽電池パネルの検査は、常に同じ条件や環境で実施できるわけではなく、インフラが整備されていない環境や、過酷な状況下での検査が強いられることもある。とりわけ、ＥＬ方式による検査では、現場において電源等の検査に必要な設備の確保が重要課題となっており、どのような状況でも迅速且つ簡便に利用できるＥＬ検査装置が望まれている。
【０００９】
本発明は、上記問題点に鑑みてなされたものであり、屋外等において迅速且つ簡便に利用できる太陽電池パネルのＥＬ検査装置、及び太陽電池パネルのＥＬ検査方法を提供することを目的とする。
【課題を解決するための手段】
【００１０】
上記課題を解決するための本発明に係る太陽電池パネルの検査装置の特徴構成は、
エレクトロルミネッセンス（ＥＬ）を利用した太陽電池パネルの検査装置であって、
前記太陽電池パネルに交流を印加するための交流電力を発生する交流電源と、
前記太陽電池パネルの表面を撮影するカメラと、
を備え、
前記交流電力は、前記太陽電池パネルにＥＬ発光を誘起させる交流のインピーダンスが１ｋΩ以上となるように設定されていることにある。
【００１１】
太陽電池パネルは、それ自体が半導体製品であり、特定の方向の電流のみが通過できるように構成されている。また、太陽電池パネルには、異常時に発生し得る発熱等を防止するため、バイパスダイオードが接続されている。通常、バイパスダイオードには電流は流れないが、例えば、太陽電池パネルのバスバーのハンダ付けがはがれるなどして高抵抗化すると、電流はインターコネクタからバイパスダイオード回路の方に迂回し、太陽電池パネルの配線の過熱が防止されるようになっている。
本構成の太陽電池パネルの検査装置によれば、太陽電池パネルに交流を印加して検査を行うものであるため、交流電源として商用電源を利用することができる。その際に交流電源が発生する交流電力は、太陽電池パネルにＥＬ発光を誘起させる交流のインピーダンスが１ｋΩ以上となるように設定されているため、特定の方向に流れる電流によって太陽電池パネルの検査に必要な程度のＥＬ発光を誘起させることができる。このような商用電源を利用できる本構成の太陽電池パネルの検査装置は、利便性に優れているため、屋外に既に設置されている太陽電池パネルについて、迅速且つ簡便に検査を行うことができる。
【００１２】
本発明に係る太陽電池パネルの検査装置において、
前記交流のインピーダンスが３ｋΩ以上となるように設定されていることが好ましい。
【００１３】
本構成の太陽電池パネルの検査装置によれば、太陽電池パネルにＥＬ発光を誘起させる交流のインピーダンスが３ｋΩ以上となるように設定されているため、発電回路に逆向きの半波が流れることが確実に防止しつつ、特定の方向に流れる電流によって太陽電池パネルの検査に十分なＥＬ発光を誘起させることができる。
【００１４】
本発明に係る太陽電池パネルの検査装置において、
前記交流電源は、出力が１００Ｖ又は２００Ｖの交流電力を発生する交流発電機であることが好ましい。
【００１５】
本構成の太陽電池パネルの検査装置によれば、交流電源として出力が１００Ｖ又は２００Ｖの交流電力を発生する交流発電機を用いることで、一般家庭用の電源（商用電源）と同じ電力が供給可能となる。従って、通常のコンセントがあれば、どのような場所であっても、迅速且つ簡便に検査を行うことができる。
【００１６】
本発明に係る太陽電池パネルの検査装置において、
順方向の電流を通過させる第一ＬＥＤと、逆方向の電流を通過させる第二ＬＥＤとが並列に接続されてなる回路検査部をさらに備え、
前記太陽電池パネルの検査時において、前記交流電源と前記回路検査部との間に検査対象の太陽電池パネルを配置するように構成されていることが好ましい。
【００１７】
本構成の太陽電池パネルの検査装置によれば、順方向の電流を通過させる第一ＬＥＤと、逆方向の電流を通過させる第二ＬＥＤとが並列に接続されてなる回路検査部を使用し、交流電源と回路検査部との間に検査対象の太陽電池パネルを配置することで、太陽電池パネルの状態（正常／故障）が第一ＬＥＤ及び第二ＬＥＤの点灯状態に反映されるため、異常発生箇所を特定することができ、その結果、迅速且つ簡便に検査できることに加えて、より正確な検査結果を得ることができる。
【００１８】
本発明に係る太陽電池パネルの検査装置において、
前記太陽電池パネルは、太陽電池セルが複数接続された太陽電池モジュールであることが好ましい。
【００１９】
本構成の太陽電池パネルの検査装置によれば、通常、太陽電池パネルは複数のセルが接続された太陽電池モジュールとして製品化されているため、販売されている殆どのタイプの太陽電池パネルについて検査を行うことができる。
【００２０】
本発明に係る太陽電池パネルの検査装置において、
前記太陽電池パネルは、単結晶シリコン型太陽電池、多結晶シリコン型太陽電池、又はＣＩＧＳ｛銅（Ｃｏｐｐｅｒ）−インジウム（Ｉｎｄｉｕｍ）−ガリウム（Ｇａｌｌｉｕｍ）−セレン（Ｓｅｌｅｎｉｕｍ）｝系化合物太陽電池であることが好ましい。
【００２１】
本構成の太陽電池パネルの検査装置によれば、上述の各種タイプの太陽電池パネルの検査に対応することができる。
【００２２】
上記課題を解決するための本発明に係る太陽電池パネルの検査方法の特徴構成は、
エレクトロルミネッセンス（ＥＬ）を利用した太陽電池パネルの検査方法であって、
前記太陽電池パネルに交流を印加する電流印加工程と、
前記太陽電池パネルの表面を撮影する撮影工程と、
を備え、
前記電流印加工程において、前記太陽電池パネルにＥＬ発光を誘起させる交流のインピーダンスを１ｋΩ以上に設定することにある。
【００２３】
本構成の太陽電池パネルの検査方法によれば、上述の太陽電池パネルの検査装置と同様の優れた作用効果を奏することができる。すなわち、太陽電池パネルに交流を印加する際、そのインピーダンスが１ｋΩ以上となるように設定されているため、特定の方向に流れる電流によって太陽電池パネルの検査に必要な程度のＥＬ発光を誘起させることができる。そして、このような検査方法によれば、商用の電源を利用できるため、利便性に優れており、屋外に既に設置されている太陽電池パネルについて、迅速且つ簡便に検査を行うことができる。
【図面の簡単な説明】
【００２４】
【図１】図１は、本発明の第一実施形態に係る太陽電池パネルの検査装置の説明図である。
【図２】図２は、太陽電池パネルに関する説明図である。
【図３】図３は、太陽電池パネルの検査に関する説明図である。
【図４】図４は、各種の太陽電池パネルに交流を印加したときに計測されるインピーダンスと周波数との関係を示すグラフである。
【図５】図５は、本発明の第二実施形態に係る太陽電池パネルの検査装置の説明図である。
【発明を実施するための形態】
【００２５】
以下、本発明の太陽電池パネルの検査装置に関する実施形態を、図１〜図５に基づいて説明する。本発明の太陽電池パネルの検査方法については、太陽電池パネルの検査装置の中であわせて説明する。ただし、本発明は、以下に説明する実施形態や図面に記載される構成に限定されることを意図しない。
【００２６】
［第一実施形態］
図１は、本発明の第一実施形態に係る太陽電池パネルの検査装置（以下、単に「検査装置」と称する。）１００の説明図である。検査装置１００は、半導体に電気エネルギーを付与したときに発生するエレクトロルミネッセンス（ＥＬ）を利用して太陽電池パネルＭを検査するものである。太陽電池パネルＭは、一般に、太陽電池セルＳが複数接続された太陽電池モジュールとして構成される。本発明の検査装置１００は、例えば、４８〜７２枚の太陽電池セルが直列に接続された太陽電池モジュールとしての太陽電池パネルの検査に使用可能であるが、特に、６０枚又は７２枚の太陽電池セルからなる太陽電池パネルの検査に好適である。検査対象の太陽電池パネルＭとしては、例えば、単結晶シリコン型太陽電池、多結晶シリコン型太陽電池、ＣＩＧＳ｛銅（Ｃｏｐｐｅｒ）−インジウム（Ｉｎｄｉｕｍ）−ガリウム（Ｇａｌｌｉｕｍ）−セレン（Ｓｅｌｅｎｉｕｍ）｝系化合物太陽電池等が挙げられる。
【００２７】
本発明の検査装置１００は、太陽電池パネルＭに交流を印加するための交流電力を発生する交流電源１０と、太陽電池パネルＭの表面を撮影するカメラ２０とを備える。交流電源１０により、太陽電池パネルに交流を印加する電流印加工程が実施され、カメラ２０により、太陽電池パネルの表面を撮影する撮影工程が実施される。
【００２８】
本発明の検査装置１００は、上述の特許文献１に例示される従来のＥＬ検査装置とは異なり、電源に交流電源１０を使用することに大きな特徴がある。交流電源１０としては、商用電源の他に、交流発電機を使用することが可能である。交流発電機の種類や性能等については特に限定されないが、汎用性、コスト、入手可能性の点において、出力が１００Ｖ又は２００Ｖの交流電力を発生する交流発電機が好ましい。このような交流発電機であれば、商用電源と同じ交流電力（５０Ｈｚ又は６０Ｈｚ）を発生することができる。すなわち、交流発電機を用いることで、一般家庭用の電源（商用電源）と同じ電力が供給可能となるため、通常のコンセントがあれば、どのような場所であっても、迅速且つ簡便に太陽電池パネルＭの検査を行うことができる。
【００２９】
ここで、太陽電池パネルＭのＥＬ検査を実施するにあたり、検査に必要な程度のＥＬ発光を太陽電池パネルＭに誘起させるためには、検査対象の太陽電池パネルＭに応じて、交流電源１０から太陽電池パネルＭに印加する交流の周波数とインピーダンスとの関係を把握しておく必要がある。そこで、上記関係について、以下の考察を行った。
【００３０】
図２は、太陽電池パネルＭに関する説明図である。図２（ａ）は、太陽電池パネルＭの概略構成図である。上述のように、太陽電池パネルＭは複数のセルＳが直列に接続された太陽電池モジュールとして構成され、太陽電池パネルＭどうしも所望の枚数が直列に接続される。図２（ａ）では４枚の太陽電池パネルＭを例示している。夫々の太陽電池パネルＭを構成するセルＳは、負の電荷を有する電子を多く含むｎ型半導体と、正の電荷を有するホールを多く含むｐ型半導体とが接合されたものである。ホールがｎ型半導体に入ると電子と結合する。これと同様に、電子がｐ型半導体に入るとホールと結合する。このように、ｎ型半導体とｐ型半導体とが接合した際、接合面では電子もホールもない空乏層と呼ばれる領域が形成される。この空乏層には電界が生じており、空乏層に太陽光が入射すると光が半導体に吸収されて電子とホールが生じ、これらが電界で押し出されることにより外部回路へ電流として流れる。この一連の仕組みが発電である。太陽電池パネルＭで生成された電流は直流であり、電気として利用するためには交流に変換する必要がある。図２（ａ）に示すように、太陽電池パネルＭの各配線は接続箱１に集約されており、接続箱１はさらにパワーコンディショナー２に接続されている。太陽電池パネルＭで発電された直流は、パワーコンディショナー２によって交流に変換され、工場、オフィス、住居等で電力として利用される。
【００３１】
図２（ｂ）は、太陽電池パネルＭを構成する１枚のセルＳにおける等価回路図である。太陽電池パネルＭ全体の構成は上記のとおりであるが、電気回路図で考えた場合、太陽電池パネルＭを構成する１枚のセルＳは、図２（ｂ）に示すように定電流源（Ｉ成分）、並列ダイオード（Ｄ成分）、直列抵抗（Ｒｓ成分）、及び並列抵抗（Ｒｓｈ成分）の組み合わせで表すことができる。太陽電池パネルＭはセルＳを直列に接続したモジュール構造をしているが、図２（ｂ）に示す等価回路がセルＳの枚数だけ直列に接続したものと考えることができる。従って、太陽電池モジュールの等価回路図は、直列抵抗等の各成分の値は変わるものの、セルＳが１枚のときと同様に図２（ｂ）の等価回路図として表すことができる。
【００３２】
図３は、太陽電池パネルＭの検査に関する説明図である。図３（ａ）は、太陽電池パネルＭに交流を印加したときの交流波の流れを示す図である。図３（ｂ）は、図３（ａ）から導かれる実質的な等価回路図である。上記のとおり、セルＳ内には空乏層が形成され電界が生じている。ここに交流を印加すると、交流波は空乏層を電荷が蓄えられるコンデンサとして捉えるため、図３（ａ）に示すように、等価回路図には容量性リアクタンス（Ｃ成分）を表記することができる。そして、図３（ａ）中の矢印で示すように、交流波は並列抵抗（Ｒｓｈ成分）を通らず、電気容量の大きいコンデンサを通る。つまり、太陽電池パネルＭの発電回路は、一種のダイオードとして機能し、図３（ａ）において、実線で示してある部分の誘導性リアクタンス（Ｌ成分）、直列抵抗（Ｒｓ成分）、及び容量性リアクタンス（Ｃ成分）を通ることとなる。従って、図３（ｂ）に示すように、太陽電池パネルＭに交流波を入力した場合の等価回路図は、実質的には直列抵抗（Ｒｓ成分）と誘導性リアクタンス（Ｌ成分）と容量性リアクタンス（Ｃ成分）とで表される等価回路図となる。
【００３３】
図３（ｂ）のような等価回路図で表されるとき、Ｚをインピーダンス（Ω）、Ｒを抵抗（Ω）、ωを角周波数（ｒａｄ／ｓ）とすると、次の式（１）が成り立つ。
【００３４】
【数１】
2018105680.tif 000003
【００３５】
式（１）において、角周波数ωは次の式（２）を意味する。
【００３６】
【数２】
2018105680.tif 000004
【００３７】
式（１）において、インピーダンスＺが一定以上であれば、太陽電池パネルＭの発電回路にバイアス電流（逆向きの半波）が流れず、特定の方向に流れる電流（順方向の半波）によって太陽電池パネルＭの検査に十分なＥＬ発光を誘起させることができる。そのためには、ω（すなわち、周波数ｆ）の値を太陽電池パネルＭの種類に応じて適切に選択する必要がある。そこで、交流の周波数ｆを変更しながら式（１）及び式（２）により各種太陽電池パネルＭのインピーダンスＺを計測し、太陽電池パネルＭに印加する交流の周波数ｆとインピーダンスＺとの関係を明らかにした。
【００３８】
図４は、各種の太陽電池パネルに交流を印加したときに計測されるインピーダンスＺと周波数ｆとの関係を示すグラフである。図４では、（ａ）単結晶シリコン型太陽電池（６インチ、６０セル）、（ｂ）多結晶シリコン型太陽電池（６インチ、６０セル）、（ｃ）薄膜型ＣＩＧＳ系化合物太陽電池（ソーラーフロンティア株式会社製太陽電池モジュール  製品名：ＳＦ１４５−Ｋ）について、夫々の太陽電池パネルに印加する交流の周波数ｆを４２Ｈｚから５ＭＨｚまで変化させたときに計測されるインピーダンスＺを示してある。（ａ）単結晶シリコン型太陽電池においては、交流の周波数が１０００Ｈｚ以下であれば、交流のインピーダンスが１ｋΩ以上となった。この場合、太陽電池パネルＭに検査に必要な程度のＥＬ発光が誘起され、確実にＥＬ検査を実施することができる。同様に、（ｂ）多結晶シリコン型太陽電池においては、交流の周波数が１０００Ｈｚ以下であることが望ましく、（ｃ）薄膜型ＣＩＧＳ系化合物太陽電池においては、交流の周波数が２００００Ｈｚ以下であることが望ましいことが判明した。なお、太陽電池パネルＭの種類に関わらず、確実にＥＬ検査を実施するためには、交流電源１０から発生させる交流電力において、交流のインピーダンスが３ｋΩ以上となるように設定されていることが好ましい。この場合、太陽電池パネルＭの発電回路に逆向きの半波が流れることが確実に防止され、特定の方向に流れる電流によって太陽電池パネルＭの検査に十分なＥＬ発光を誘起させることができる。
【００３９】
交流電源１０によって交流が印加された太陽電池パネルＭは、図１に示すように、カメラ２０を用いて検査面のＥＬ発光状態が撮影される。なお、図１では、紙面の関係でカメラ２０は太陽電池パネルＭの側方に配置されているように描かれているが、実際にはカメラ２０は太陽電池パネルＭの正面に配置され、正面から太陽電池パネルＭの表面全体を撮影可能である。カメラ２０で撮影された太陽電池パネルＭのＥＬ発光画像は、予め撮影しておいた正常な太陽電池パネルＭのＥＬ発光画像と比較することで、クラックや断線等の欠陥を認識することができる。
【００４０】
カメラ２０は、ＥＬ発光の波長に感度を有するものであれば特に限定されないが、ＣＣＤセンサやＣＭＯＳセンサ等の受光素子を搭載したデジタルカメラを好適に利用することができる。カメラ２０による太陽電池パネルＭの撮影は、通常、検査員がカメラ２０のシャッターを直接操作することにより実施されるが、カメラ２０を無線ＬＡＮやＩＥＥＥ８０２．１５．１（いわゆる、Ｂｌｕｅｔｏｏｔｈ（登録商標））を介して携帯情報通信機器（スマートホン、タブレット端末等）と同期させ、当該携帯情報通信機器によってシャッター操作を行うことも可能である。また、検査対象の太陽電池パネル２０が高所にある場合など、撮影環境が厳しい場合は、カメラ２０を小型無人航空機（ドローン等）に搭載し、携帯情報通信機器とあわせて遠隔でシャッター操作を行うことも可能である。
【００４１】
カメラ２０は、画像処理機能を備えるものであってもよい。例えば、カメラ２０で撮影された画像からノイズを含むバックグラウンド画像を差し引くことにより、ノイズが低減されたＥＬ発光画像に加工することができる。このように、撮影された画像に対して適切な処理を施すことによって、太陽電池パネルＭの検査面の欠陥の判定に利用可能な鮮明な処理画像を得ることができる。なお、カメラ２０による撮影画像が鮮明である場合は、撮影画像の画像処理を特に実施する必要はない。従って、カメラ２０の画像処理機能は、必要に応じて設ければよい任意の構成である。
【００４２】
以上のように、第一実施形態の検査装置１００によれば、交流電源１０と、カメラ２０とを備えることで、太陽電池パネルＭを迅速且つ簡便に検査することができる。
【００４３】
［第二実施形態］
図５は、本発明の第二実施形態に係る太陽電池パネルの検査装置（以下、単に「検査装置」と称する。）２００の説明図である。検査装置２００は、第一実施形態の検査装置１００に発電回路又はバイパスダイオード回路を検査するための回路検査部３０を追加したものである。従って、交流電源１０及びカメラ２０は、第一実施形態の検査装置１００のものと同様であるため、これらの説明は省略する。
【００４４】
回路検査部３０は、トランスを介して、第一ＬＥＤ３１と、第二ＬＥＤ３２とを並列接続したものである。ここで、第一ＬＥＤ３１及び第二ＬＥＤ３２は、夫々の電流通過方向が互いに反対となるように配置されている。このように配置することで、第一ＬＥＤ３１には、交流電源１０から太陽電池パネルＭの発電回路を通って再び交流電源１０に戻って来る交流波（プラス電圧の半波）のみ通過することができる。一方、第二ＬＥＤ３２には、交流電源１０から太陽電池パネルＭのバイパスダイオード回路を通って再び交流電源１０に戻って来る交流波（マイナス電圧の半波）のみ通過することができる。
【００４５】
太陽電池パネルＭの検査を行う際には、図５に示すように、交流電源１０と回路検査部３０との間に検査対象の太陽電池パネルＭが配置される。このような配置とすることで、太陽電池パネルＭの状態（正常／故障）が回路検査部３０の第一ＬＥＤ３１及び第二ＬＥＤ３２の点灯状態に反映されるため、異常発生箇所を特定することが可能となる。具体的には、以下の４通りの点灯パターンより、太陽電池パネルＭの発電回路及びバイパスダイオード回路の状態を判定することができる。
【００４６】
（１）第一ＬＥＤ：点灯／第二ＬＥＤ：点灯
この場合、第一ＬＥＤ３１には、交流電源１０から太陽電池パネルＭの発電回路を通って再び交流電源１０に戻って来る交流波（プラス電圧の半波）が通過していることになる。また、第二ＬＥＤ３２には、交流電源１０から太陽電池パネルＭのバイパスダイオード回路を通って再び交流電源１０に戻って来る交流波（マイナス電圧の半波）が通過していることになる。従って、第一ＬＥＤ３１及び第二ＬＥＤ３２の両方が点灯している場合は、太陽電池パネルＭの発電回路及びバイパスダイオード回路が共に正常であると判断できる。
【００４７】
（２）第一ＬＥＤ：点灯／第二ＬＥＤ：消灯
この場合、第一ＬＥＤ３１には、交流電源１０から太陽電池パネルＭの発電回路を通って再び交流電源１０に戻って来る交流波（プラス電圧の半波）が通過していることになる。一方、第二ＬＥＤ３２には、交流電源１０から太陽電池パネルＭのバイパスダイオード回路を通って再び交流電源１０に戻って来る交流波（マイナス電圧の半波）は通過していないことになる。従って、第一ＬＥＤ３１が点灯し、第二ＬＥＤ３２が消灯している場合は、太陽電池パネルＭのバイパスダイオード回路が異常であると判断できる。
【００４８】
（３）第一ＬＥＤ：消灯／第二ＬＥＤ：点灯
この場合、第一ＬＥＤ３１には、交流電源１０から太陽電池パネルＭの発電回路を通って再び交流電源１０に戻って来る交流波（プラス電圧の半波）は通過していないことになる。一方、第二ＬＥＤ３２には、交流電源１０から太陽電池パネルＭのバイパスダイオード回路を通って再び交流電源１０に戻って来る交流波（マイナス電圧の半波）が通過していることになる。従って、第一ＬＥＤ３１が消灯し、第二ＬＥＤ３２が点灯している場合は、太陽電池パネルＭの発電回路が異常であると判断できる。
【００４９】
（４）第一ＬＥＤ：消灯／第二ＬＥＤ：消灯
この場合、第一ＬＥＤ３１及び第二ＬＥＤ３２には、何れも交流電源１０からの交流波が通過していないことになる。従って、第一ＬＥＤ３１が消灯し、第二ＬＥＤ３２が消灯している場合は、太陽電池パネルＭのバイパスダイオード回路及び発電回路が共に異常であると判断できる。
【００５０】
以上のように、第二実施形態の検査装置２００によれば、交流電源１０と、カメラ２０と、検査回路部３０とを備えることで、太陽電池パネルＭを迅速且つ簡便に検査できることに加えて、太陽電池パネルＭにおける異常発生箇所を正確に特定することができる。
【産業上の利用可能性】
【００５１】
本発明の太陽電池パネルの検査装置、及び太陽電池パネルの検査方法は、太陽電池の検査に利用されるものであるが、エレクトロミネッセンス（ＥＬ）により検査可能な半導体であれば、太陽電池以外のデバイスの検査に利用することも可能である。
【符号の説明】
【００５２】
１０      交流電源
２０      カメラ
３０      回路検査部
３１      第一ＬＥＤ
３２      第二ＬＥＤ
１００    検査装置
２００    検査装置
Ｓ        太陽電池セル
Ｍ        太陽電池パネル（太陽電池モジュール）
【図１】
2018105680.tif 000005
【図２】
2018105680.tif 000006
【図３】
2018105680.tif 000007
【図４】
2018105680.tif 000008
【図５】
2018105680.tif 000009
【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
エレクトロルミネッセンス（ＥＬ）を利用した太陽電池パネルの検査装置であって、
前記太陽電池パネルに交流を印加するための交流電力を発生する交流電源と、
前記太陽電池パネルの表面を撮影するカメラと、
を備え、
前記交流電力は、前記太陽電池パネルにＥＬ発光を誘起させる交流のインピーダンスが１ｋΩ以上となるように設定され、前記交流の印加により、前記太陽電池パネルに順方向の電流及び逆方向の電流が交互に流れるように構成されている太陽電池パネルの検査装置。
【請求項２】
前記交流のインピーダンスが３ｋΩ以上となるように設定されている請求項１に記載の太陽電池パネルの検査装置。
【請求項３】
前記交流電源は、出力が１００Ｖ又は２００Ｖの交流電力を発生する交流発電機である請求項１又は２に記載の太陽電池パネルの検査装置。
【請求項４】
順方向の電流を通過させる第一ＬＥＤと、逆方向の電流を通過させる第二ＬＥＤとが並列に接続されてなる回路検査部をさらに備え、
前記太陽電池パネルの検査時において、前記交流電源と前記回路検査部との間に検査対象の太陽電池パネルを配置するように構成されている請求項１〜３の何れか一項に記載の太陽電池パネルの検査装置。
【請求項５】
前記太陽電池パネルは、太陽電池セルが複数接続された太陽電池モジュールである請求項１〜４の何れか一項に記載の太陽電池パネルの検査装置。
【請求項６】
前記太陽電池パネルは、単結晶シリコン型太陽電池、多結晶シリコン型太陽電池、又はＣＩＧＳ｛銅（Ｃｏｐｐｅｒ）−インジウム（Ｉｎｄｉｕｍ）−ガリウム（Ｇａｌｌｉｕｍ）−セレン（Ｓｅｌｅｎｉｕｍ）｝系化合物太陽電池である請求項１〜５の何れか一項に記載の太陽電池パネルの検査装置。
【請求項７】
エレクトロルミネッセンス（ＥＬ）を利用した太陽電池パネルの検査方法であって、
前記太陽電池パネルに交流を印加する電流印加工程と、
前記太陽電池パネルの表面を撮影する撮影工程と、
を備え、
前記電流印加工程において、前記太陽電池パネルにＥＬ発光を誘起させる交流のインピーダンスを１ｋΩ以上に設定し、前記交流の印加により、前記太陽電池パネルに順方向の電流及び逆方向の電流が交互に流れる太陽電池パネルの検査方法。
【手続補正書】
【提出日】平成29年6月8日(2017.6.8)
【手続補正１】
【補正対象書類名】特許請求の範囲
【補正対象項目名】全文
【補正方法】変更
【補正の内容】
【特許請求の範囲】
【請求項１】
エレクトロルミネッセンス（ＥＬ）を利用した太陽電池パネルの検査装置であって、
前記太陽電池パネルに交流を印加するための交流電力を発生する交流電源と、
前記太陽電池パネルの表面を撮影するカメラと、
を備え、
前記交流電力は、前記太陽電池パネルにＥＬ発光を誘起させる交流のインピーダンスが１ｋΩ以上となるように設定され、前記交流の印加により、前記太陽電池パネルの発電回路に順方向の電流が流れ、前記太陽電池パネルの発電回路と並列に接続されたバイパスダイオードに逆方向の電流が流れることで、前記太陽電池パネルに順方向の電流及び逆方向の電流が交互に流れるように構成されている太陽電池パネルの検査装置。
【請求項２】
前記交流のインピーダンスが３ｋΩ以上となるように設定されている請求項１に記載の太陽電池パネルの検査装置。
【請求項３】
前記交流電源は、出力が１００Ｖ又は２００Ｖの交流電力を発生する交流発電機である請求項１又は２に記載の太陽電池パネルの検査装置。
【請求項４】
順方向の電流を通過させる第一ＬＥＤと、逆方向の電流を通過させる第二ＬＥＤとが並列に接続されてなる回路検査部をさらに備え、
前記太陽電池パネルの検査時において、前記交流電源と前記回路検査部との間に検査対象の太陽電池パネルを配置するように構成されている請求項１〜３の何れか一項に記載の太陽電池パネルの検査装置。
【請求項５】
前記太陽電池パネルは、太陽電池セルが複数接続された太陽電池モジュールである請求項１〜４の何れか一項に記載の太陽電池パネルの検査装置。
【請求項６】
前記太陽電池パネルは、単結晶シリコン型太陽電池、多結晶シリコン型太陽電池、又はＣＩＧＳ｛銅（Ｃｏｐｐｅｒ）−インジウム（Ｉｎｄｉｕｍ）−ガリウム（Ｇａｌｌｉｕｍ）−セレン（Ｓｅｌｅｎｉｕｍ）｝系化合物太陽電池である請求項１〜５の何れか一項に記載の太陽電池パネルの検査装置。
【請求項７】
エレクトロルミネッセンス（ＥＬ）を利用した太陽電池パネルの検査方法であって、
前記太陽電池パネルに交流を印加する電流印加工程と、
前記太陽電池パネルの表面を撮影する撮影工程と、
を備え、
前記電流印加工程において、前記太陽電池パネルにＥＬ発光を誘起させる交流のインピーダンスを１ｋΩ以上に設定し、前記交流の印加により、前記太陽電池パネルの発電回路に順方向の電流が流れ、前記太陽電池パネルの発電回路と並列に接続されたバイパスダイオードに逆方向の電流が流れることで、前記太陽電池パネルに順方向の電流及び逆方向の電流が交互に流れる太陽電池パネルの検査方法。